(57)【要約】【課題】本発明は排水管にある程度の段差があってもこれを乗り越えることを可能としたサイフォン排水システムであり、トラップがスラブよりも低い位置にある場合でも、これより一度に大量の排水があった際にも十分対応が可能とする排水システムである。【解決手段】排水立て管と、水周り器具と、立て管に水頭差をもって備えられた合流部と、水周り器具のトラップと排水立て管の合流部とを接続する排水管と、からなるサイフォン排水システムにおいて、排水管は前記トラップよりも高位置を経由して敷設され、この排水管の水頭差部分の手前に前記高位置よりも一段下げた部分を形成し、常態で排水管内に排水を滞留させた排水システム。Ａ、Ｂ‥スラブ面、Ｄ‥段差、Ｄ０‥段部、ＵＢ‥ユニットバス、１‥トラップ、２‥チャンバ−、３‥連結管、４‥排水立て管、５‥合流部、６‥排水管、６ａ‥排水管の立ち上がり部、６ｂ‥段差Ｄ０における排水管水平部。【選択図】図３
2007284965.tif 000002
【特許請求の範囲】
【請求項１】
排水立て管と、水周り器具と、立て管に水頭差をもって備えられた合流部と、水周り器具のトラップと排水立て管の合流部とを接続する排水管と、からなるサイフォン排水システムにおいて、排水管は前記トラップよりも高位置を経由して敷設され、この排水管の水頭差部分の手前に前記高位置よりも一段下げた部分を形成し、常態で排水管内に排水を滞留させたことを特徴とするサイフォン排水システム。
【請求項２】
水周り器具のトラップがスラブＡレベルよりも低位置に配置された請求項１に記載のサイフォン排水システム。
【請求項３】
水周り器具のトラップにチャンバ−が接続され、当該チャンバ−の底部がスラブＡレベルよりも低位置に配置された請求項１に記載のサイフォン排水システム。
【請求項４】
排水管はチャンバ−の下部に接続される請求項３記載のサイフォン排水システム。
【請求項５】
排水管はスラブＡレベルよりも低位置でチャンバ−に接続され、次いでスラブＡ上を無勾配にて配置され、更にスラブＡレベルよりも一段下げた部分を形成し、その後合流部に接続される請求項１乃至４いずれか１に記載のサイフォン排水システム。
【発明の詳細な説明】
【技術分野】
【０００１】
本発明はサイフォン排水システムの改良に関するものである。
【背景技術】
【０００２】
従来の排水システムにおいて、ユニットバス（ＵＢ）のトラップの納まり等から、サニタリ−周りのスラブＢは一般的なスラブＡ部分よりも１００〜１５０ｍｍ落とし込む形になっていた。更に、排水立て管（以下、問題ない限り単に立て管と言う）はその落とされたスラブＢレベルの部分に配置されたパイプシャフトスペ−ス（ＰＳ）内にセットされ排水されていた。
【０００３】
図１はこの従来の勾配排水システムを示す図であり、ＵＢのトラップ１に対し、スラブＡに１００〜１５０ｍｍ程度下げたスラブＢを形成し、このスラブＢにＰＳが設置され、このＰＳ内に立て管４が配置されている。そして、トラップ１とこの立て管４間を勾配をもって配置された排水管６が接続され、トラップ１内の排水が立て管４に導かれれる構造となっている。このようにＰＳの位置によって水廻り器具の位置が制限されてしまうという欠点がある。図中、５は合流部である。
【０００４】
近年、開発されたサイフォン排水システム（特許文献１）は、設計の自由度が大きく、勾配がいらないという特徴から注目されているが、更なる要求があることも事実である。即ち、サイフォン排水システムにおいて、ＰＳをサニタリ−周りや住戸内ではなく、廊下側やテラス側の位置にもってきても施工できることが求められている。
【０００５】
【特許文献１】特開２０００−２９７４４７号公報
【０００６】
図２はこの設計の自由度を求めた際のサイフォン排水システムを示す図であり、ＵＢのトラップ１に対し、スラブＡに１００〜１５０ｍｍ程度下げたスラブＢを形成し、図１とは異なり、このスラブＢから離れた位置にＰＳが設置され、このＰＳ内に立て管４が配置されている。そして、トラップ１とこの立て管４間を例えば可撓性樹脂管を排水管６をもって接続されたものである。勿論、立て管４との合流部５はスラブＡよりも低い位置で合流されるものである。
【０００７】
このように、排水管６はスラブ面Ｂより位置の高いスラブ面Ａに配管する必要があり、その後、立て管４に合流する配管がなされなくてはならないが、現在までに開発されているサイフォン排水システムにあっては、サイフォン力が発生するのは排水の水位が配管の最高地点の高さまで溜った後でないとサイフォンは発生しない。図中、２はチャンバ−であり、３はトラップ１とチャンバ−２間を接続する連結管である。
【発明の開示】
【発明が解決しようとする課題】
【０００８】
本発明は排水管が２００ｍｍ程度までの段差があってもこれを乗り越えることを可能としたサイフォン排水システムを提供することを目的とし、例えば、ＵＢのようにトラップがスラブＡよりも低い位置にある場合でも、これより一度に大量の排水があった際にも十分対応が可能とする排水システムを提供するものである。
【課題を解決するための手段】
【０００９】
本発明の要旨（請求項１）は、立て管と、水周り器具と、立て管に水頭差をもって備えられた合流部と、水周り器具のトラップと立て管の合流部とを接続する排水管と、からなるサイフォン排水システムにおいて、排水管は前記トラップよりも高位置を経由して敷設され、この排水管の水頭差部分の手前に前記高位置よりも一段下げた部分を形成し、常態で排水管内に排水を滞留させたサイフォン排水システムに係るものである。
【発明の効果】
【００１０】
本発明にあって、排水管の途中が水周り器具の排水口よりも高い位置を経由する場合であっても、溢れることなく排水することができることとしたもので、例えば、サニタリ−周りのスラブＡ・Ｂ段差を乗り越えられるようにした排水システムであり、従来のサイフォン排水システムの利用価値を極めて高めたものとなった。
【発明を実施するための最良の形態】
【００１１】
今までのサイフォン排水システムの配管であれば、サイフォン力が発生するのは排水がチャンバ−内に溜って、チャンバ−内の水位が配管途中の最高地点の高さまで溜った後でないとサイフォンは発生しなかった。
【００１２】
しかしながら、本発明の排水システムでは、排水がチャンバ−内で溜って行き、接続された排水管の上端まで水が溜ってくると、水圧で排水管内の空気を押し、更にその空気圧が、水頭差部分の手前で溜められている水を立て管側に押すようになる。その後、押された水は水頭差部分に落とし込まれ、ここにサイフォン力が発生する。サイフォン力が発生すると、今度はその引く力（負圧）によってチャンバ−内に溜った水が引かれて行き、一気に排水が完了することになる。
【００１３】
この原理により、通常であれば、サイフォンが起動する前に水が溢れてしまう水位、即ち水周り器具の排水口が排水管の最高位置よりも低い位置にあっても器具からあふれてくる前にサイフォン力が発生するため、従来のシステムでは排水が溢れてくる器具であっても排水ができるようになったものである。
【００１４】
以下、本発明のサイフォン排水システムの好適例を説明する。ＵＢの排水について言及すれば、ＵＢの設置位置はスラブＡ面より１００〜１５０ｍｍ程度低いスラブＢ面としておき、ＵＢのトラップ部がこの部位に配置される。従って、排水管から見ればスラブＡ面は上り段差が形成された構造となっている。
【００１５】
本発明はこの上り段差があっても問題なく排水できるシステムを提供したものであり、請求項２は、例えばＵＢ等の水周り器具のトラップがスラブＡのレベルよりも低位置に配置された実際の形態を特定したものである。
【００１６】
本発明にあって、水周り器具のトラップに排水管が直接接続される形態でもよいが、この間にチャンバ−が用いられるのが好ましく、溜め流しの際のバッファ効果をもつものである。請求項３は、水周り器具のトラップにチャンバ−が接続され、当該チャンバ−がスラブＡのレベルよりも低位置に配置され、請求項４は、排水管はチャンバ−の下部に接続される形態を特定したものである。即ち、チャンバ−がスラブＢに配置された際にはその大きさ、背丈、排水管との取り合い等を特定し、サイフォン力が発生しやすい構成とし、かつ、チャンバ−内の水位が上がった際でもトラップ側に影響のない構成としたものである。請求項５はこれらを総合して最良の形態を特定したものであり、排水管はスラブレベルよりも低位置でチャンバ−に接続され、次いでスラブ上を無勾配にて配置され、更にスラブレベルよりも一段下げた部分を形成し、その後合流部に接続される排水システムを提供したものである。
【実施例】
【００１７】
以下、図面をもって本発明を更に詳細に説明する。図２は既提案のサイフォン排水システムを採用してＵＢの排水に適用した例を図示したものである。先ず、通常のスラブＡに対しＵＢが置かれる位置にこれより１００〜１５０ｍｍ（段差Ｄ）程度低いスラブＢ面を形成する。そして、このスラブＢにＵＢは配置され、トラップ１が同様に備えられる。そして、このスラブＢにチャンバ−２が配置され、トラップ１とこのチャンバ−２間が勾配をもった連結管３にて接続される。この例では、チャンバ−２の背丈はスラブＡよりも背丈が高くなっている。即ちスラブＡとスラブＢとの段差よりも大きいものである。
【００１８】
立て管４はスラブＢ内にはなく、これより離れた位置に配置しており、合流部５はスラブＡよりも水頭差Ｈｓをもって配置されている。排水管６はポリブテン等の可撓性管が用いられ、チャンバ−２の下部の排水口に接続され、段差Ｄを乗り越えてスラブＡ面に無勾配、場合によっては若干の逆勾配にて敷設され、立て管４に添って下降し、合流部５に接続されたものである。
【００１９】
排水は段差Ｄがあるため、これを乗り越えなくてはならない。しかるに、ＵＢからの排水は先ずチャンバ−２内に溜められ、このチャンバ−２内の水位が段差Ｄを越えると初めて排水管６内に水が入り込み、排水管６内が満流となって初めてサイフォン力が生じることとなる。しかしながら、チャンバ−２内の水位が上がることは同時にＵＢ側のトラップ１の部分にまで水位が上がってくることとなり、排水管６内が満流となるころにはトラップ１よりＵＢ側に排水が溢れる現象が起きてしまう。
【００２０】
図３は本発明の好ましい形態を示すサイフォン排水システム図であり、図４はこの段差Ｄ０に留まっていた水Ｗｂが水頭差側に落ち込む際の図である。前記した図２との最大の相違点は立て管４に接続する合流部５に向かって水頭差Ｈｓが構成されるが、この手前部分のスラブＡに下がり段差Ｄ０を形成したものであり、排水管６をこの段差Ｄ０に添わせて水平部６ｂとしたものである。尚、他の構成は図２と同様でありここでは説明を省略する。
【００２１】
段差Ｄ０における排水管６はこの部位だけスラブＡよりも低い位置にあるため、この部位６ｂに排水Ｗｂが溜る構造となっている。さて、この状態でＵＢより排水がもたらされると、チャンバ−２内の水Ｗａの水位が上がり、これにつれて排水管、即ちチャンバ−２に接続される立ち上がり部６ａ内の水位が上がってくる。このため、排水管６内の空気Ａａは加圧（正圧）され、前記の段差Ｄ０に留まっている水Ｗｂ押すこととなる。
【００２２】
このことによって今度は排水管６内の空気Ａａは負圧となり、チャンバ−２側の水Ｗａを引っ張る作用をなし、チャンバ−２側の水Ｗａが水頭差部に達して連続して流下することによりサイフォン力が生じることになる。言い換えれば、段差Ｄ０部に溜っていた水Ｗｂが正圧によって押され、水頭差部にまで押されて流下する。ここに、サイフォン力を発生し、今度は排水管６内の空気Ａａに負圧がもたらされ、この負圧によって引っ張る力が発生し、チャンバ−２側からの水Ｗａが引っ張られ、チャンバ−２内の水が排水できることとなったものである。
【００２３】
このように、チャンバ−２内の水Ｗａの水位はトラップ１や水周り器具の排水口よりも高くなる前にサイフォン力が発生するため、排水がこれらの部位から溢れたりする現象はなくなったものである。
【００２４】
図５は本発明の第２例を示す図であり、スラブＡに段差Ｄ０を形成する必要のない形態を示す図である。この例にあっては、段差Ｄ０部をＰＳ内にて排水管６に形成することも可能であり、図例のように立て管４の周りを囲む環状部６ｃを構成し、この部位をスラブＡよりも低い位置に形成したものである。従って、この部位に排水Ｗｂが残っており、これが前記したＤ０部に溜った水Ｗｂと同じ役割をなすものである。
【産業上の利用可能性】
【００２５】
本発明は以上の通りであり、排水管が或る程度の上り段差があった場合でもサイフォン排水が十分起動することができるようになったものであり、これによって水周り器具の位置に左右されず間取り設計の自由度は飛躍的に大きくなった。
【図面の簡単な説明】
【００２６】
【図１】図１は従来の勾配排水システムを示す図である。
【図２】図２は既提案のサイフォン排水システムを採用してＵＢの排水に適用した例を示した図である。
【図３】図３は本発明のサイフォン排水システムを採用してＵＢの排水に適用した例を示した図である。
【図４】図４は図４のサイフォン排水システムにおけるサイフォン力を生じる際の図である。
【図５】図５は本発明のサイフォン排水システムの第２例を示す図である。
【符号の説明】
【００２７】
Ａ、Ｂ‥スラブ面、
Ａａ‥排水管内の空気、
Ｄ‥段差、
Ｄ０‥段部、
Ｈｓ‥水頭差、
ＵＢ‥ユニットバス、
Ｗａ‥段部Ｄ０内の水、
１‥トラップ、
２‥チャンバ−、
３‥連結管、
４‥排水立て管、
５‥合流部、
６‥排水管、
６ａ‥排水管のチャンバ−に接続される立ち上がり部、
６ｂ‥排水管の段差Ｄ０における水平部、
６ｃ‥環状排水管。
【図１】
2007284965.tif 000003
【図２】
2007284965.tif 000004
【図３】
2007284965.tif 000005
【図４】
2007284965.tif 000006
【図５】
2007284965.tif 000007